(57)【要約】      （修正有）【課題】コンパクトに小型化がはかれ、小面積の住居スペースを対象とする住居における厨房に容易かつ確実に収容が行え、使用者は調理台本体に対して略定位置、または該定位置から近い場所に立って余計に動き回ることなく、手順が良く、作業効率良く行える調理台ユニットを提供する。【解決手段】天板２上に、シンク３、コンロ台４、調理カウンタ部５が設けられ、天板の下部には物品の収納部Ｓ１が設けられた調理台本体１と、上方背面に通気スペース６を介して設けられた吊戸棚７と、を備え、調理台本体は、間口長さＬ１が略定位置Ｔ、また近くに立って立作業を行う際に、約１６５０〜２３００ｍｍに形成され、奥行き寸法Ｌ２が約７５０ｍｍに形成され、吊戸棚７は、アイレベルＩより数十ｃｍほど、下方に長く形成される。【選択図】図１
0003145753.tif 000002
【実用新案登録請求の範囲】
【請求項１】
平面矩形の天板上に、シンク、および、複数のコンロを有するコンロ台、調理カウンタ部、が設けられ、かつ前記天板の下部には物品の収納部が設けられた調理台本体と、前記調理台本体の上方背面に通気スペースを介して設けられた吊戸棚と、を備えた調理台ユニットにおいて、
前記調理台本体は、間口長さが正面略中央線付近の略定位置、または該定位置に近い場所に立って立作業を行う際に、両手を広げて手が届く範囲よりも僅かに長い長さに形成され、且つ奥行き寸法が前記定位置、または該定位置に近い場所における立作業により前記天板の前面より手が届く範囲に長く形成され、
前記吊戸棚は、アイレベルより数十ｃｍほど、下方に長く形成されている、
ことを特徴とする調理台ユニット。
【請求項２】
前記調理台本体は、間口長さが、約１６５０ｍｍ〜約２３００ｍｍ、奥行き寸法が約７５０ｍｍに形成され、前記吊戸棚は、奥行き寸法が約３６０ｍｍに形成され、かつアイレベルより２０ｃｍほど、下方に長く形成されている、ことを特徴とする請求項１に記載の調理台ユニット。
【請求項３】
前記調理台本体は、前記収納部が引き出しとして形成され、前記吊戸棚の前記収納部は、開閉扉を有することを特徴とする、請求項１または２に記載の調理台ユニット。
【請求項４】
前記調理カウンタ部の下部には、収納部との間にリルカウンタ・テーブルが出し入れ可能に収容されていることを特徴とする請求項１〜３の何れかに記載の調理台ユニット。
【考案の詳細な説明】
【技術分野】
【０００１】
本考案は調理台ユニットに関し、姿態が同様でありながら、コンパクトに小型化がはかれ、小面積の住居スペースを対象とする住居における厨房に容易かつ確実に収容が行え、そして、使用者は調理台本体に対して略定位置、または該定位置から近い場所に立って、手順が良く、作業効率良く調理が行え、また、吊戸棚に収納される物品の確認と出し入れが容易であり、さらには、同様姿態の大型の調理台ユニットに比べてコンパクトでありながら、大容量の物品の収納が行える。
【背景技術】
【０００２】
厨房に使用する調理台は、水道の蛇口を備えたシンクにより調理材料を洗浄し、そして、調理カウンタ部により料理を行う事前に調理材料の切断を行い、コンロを有するコンロ台により切断後の調理材料を加熱し、料理を行うものである。このように、従来、水道の蛇口を備えたシンク、調理カウンタ部、コンロ台を単一の天板に設け、かつ天板の下面には引き出し形式の物品の収納部と、開き戸形式の物品の収納部とが設けられ、さらには、前記シンク、前記調理カウンタ部、前記コンロ台のワークトップの上方に吊戸棚等のアイレベル部材を配設した流し装置が従来、あった（例えば特許文献１参照。）。
【特許文献１】特開平６−２５３９３７号公報
【考案の開示】
【考案が解決しようとする課題】
【０００３】
特許文献１に記載の上記従来の流し装置は、シンクと、調理カウンタ部と、コンロ台と、を単一の天板に設置することによりユニット化をはかり、調理作業を無駄なく行おうとするものであった。しかも、特許文献１に記載の上記従来の流し装置は、天板の下面には引き出し形式の物品の収納部と、開き戸形式の物品の収納部とが設けられ、また、前記シンク、前記調理カウンタ部、前記コンロ台のワークトップの上方には吊戸棚が設けられたことにより、物品の収納性を配慮したものであるが、収納には充分過ぎるとはいえなかった。
【０００４】
ところが、特許文献１に記載の上記従来の流し装置は、小面積の住居スペースを対象とする住居、例えば建築物がマンションである場合を例とすれば、１ＤＫや１ＬＤＫの姿態の居住スペースの厨房に、設置するのには、間口長さが、例えば間口長さが約２．４ｍ〜３ｍに近いものを選定すると、調理台ユニット自体が大型化し、厨房に収容し切れないことがあった。
【０００５】
本考案は上記従来の欠点を解決し、シンク、調理カウンタ部、コンロ台等を単一の天板に設け、天板の下面には引き出し形式の物品の収納部と、天板の上面には吊戸棚を設けるという特許文献１に記載の従来の調理台ユニットと同様姿態を維持しながらコンパクトに小型化がはかれ、小面積の住居スペースを対象とする住居における厨房に容易かつ確実に収容でき、そして、使用者は調理台本体に対して略定位置、または該定位置から近い場所に立って調理材料の洗浄や切断をしたり、また料理を行う場合に、余計に動き回ることなく、手順が良く、作業効率良く行え、また、使い勝手が良く、吊戸棚に収納される物品の確認と出し入れが容易であり、さらには、同様姿態の大型の調理台ユニットに比べてコンパクトでありながら、大容量の物品の収納が行える調理台ユニットを提供することを目的とする。
【課題を解決するための手段】
【０００６】
本考案の請求項１に記載の考案は、平面矩形の天板上に、シンク、および、複数のコンロを有するコンロ台、調理カウンタ部、が設けられ、かつ前記天板の下部には物品の収納部が設けられた調理台本体と、前記調理台本体の上方背面に通気スペースを介して設けられた吊戸棚と、を備えた調理台ユニットにおいて、
前記調理台本体は、間口長さが正面略中央線付近の略定位置、または該定位置に近い場所に立って立作業を行う際に、両手を広げて手が届く範囲よりも僅かに長い長さに形成され、且つ奥行き寸法が前記定位置、または該定位置に近い場所における立作業により前記天板の前面より手が届く範囲に長く形成され、
前記吊戸棚は、アイレベルより数十ｃｍほど、下方に長く形成されている、
ことを特徴とする。
【０００７】
また、本考案の請求項２に記載の考案は、請求項１において、前記調理台本体は、間口長さが、約１６５０ｍｍ〜約２３００ｍｍ、奥行き寸法が約７５０ｍｍに形成され、前記吊戸棚は、奥行き寸法が約３６０ｍｍに形成され、かつアイレベルより２０ｃｍほど、下方に長く形成されている、ことを特徴とする。
【０００８】
また、本考案の請求項３に記載の考案は、請求項１または２において、前記調理台本体は、前記収納部が引き出しとして形成され、前記吊戸棚の前記収納部は、開閉扉を有することを特徴とする。
【０００９】
さらに、本考案の請求項４に記載の考案は、請求項１〜３の何れかにおいて、前記調理カウンタ部の下部には、収納部との間にリルカウンタ・テーブルが出し入れ可能に収容されていることを特徴とする。
【考案の効果】
【００１０】
本考案の請求項１に記載の考案によれば、平面矩形の天板上に、シンク、および、複数のコンロを有するコンロ台、調理カウンタ部、が設けられ、かつ前記天板の下部には物品の収納部が設けられた調理台本体と、前記調理台本体の上方背面に通気スペースを介して設けられた吊戸棚と、を備えた調理台ユニットにおいて、前記調理台本体は、間口長さが正面略中央線付近の略定位置、または該定位置に近い場所に立って立作業を行う際に、両手を広げて手が届く範囲よりも僅かに長い長さに形成され、且つ奥行き寸法が前記定位置、または所定位置に近い場所おける立作業により前記天板の前面より手が届く範囲に長く形成され、前記吊戸棚は、アイレベルより数十ｃｍほど、下方に長く形成されているので、シンク、調理カウンタ部、コンロ台等を単一の天板に設け、天板の下面には引き出し形式の物品の収納部と、天板の上面には吊戸棚を設けるという特許文献１に記載の従来の大型の流し装置と同様姿態を維持しながらコンパクトに小型化がはかれ、小面積の住居スペースを対象とする住居における厨房に容易かつ確実に収容が行える。そして、使用者は調理台本体に対して略定位置、または該定位置から近い場所に立って調理材料の洗浄や切断をしたり、また料理を行う場合に、余計に動き回ることなく、手順が良く、しかも作業効率良く行える。また、使い勝手が良く、また、吊戸棚に収納される物品の確認と出し入れが容易であり、さらには、同様姿態の大型の調理台ユニットに比べてコンパクトでありながら、大容量の物品の収納が行える。
【００１１】
また、本考案の請求項２に記載の考案によれば、前記調理台本体は、間口長さが、約１６５０ｍｍ〜約２３００ｍｍ、奥行き寸法が約７５０ｍｍに形成され、前記吊戸棚は、奥行き寸法が約３６０ｍｍに形成され、かつアイレベルより２０ｃｍほど、下方に長く形成されているので、特許文献１に記載の従来の大型の流し装置と同様姿態を維持しながら調理台本体は小型化されてコンパクトになる。また、使用者は調理台本体に対して略定位置に立って調理材料の洗浄、切断、料理を行う場合に、余計に動き回ることなく行え、手順が良くなる。しかも、広くなった奥行き寸法のうち、コンロ台回りには、調味料等を容れた包装容器を置くことができるので、使用者は料理中に必要な調味料を手に採ることができ、料理が作業効率良く行え、使い勝手が良い。
【００１２】
また、調理台本体は、間口長さが、約１６５０ｍｍ〜約２３００ｍｍ、奥行き寸法が約７５０ｍｍに形成され、前記吊戸棚は、奥行き寸法が約３６０ｍｍに形成されているので、例えば特許文献１に記載の流し装置のように、流し台の間口長さが前記調理台よりも長く、流し台の奥行寸法は６５０ｍｍ程度である大型の流し台に比べ小型化されてコンパクトでありながら、大容量の物品を収納することできる。また、吊戸棚は、アイレベルより２０ｃｍほど、下方に長く形成されているので、吊戸棚に収納される物品の確認と出し入れが容易に行える。
【００１３】
また、本考案の請求項３に記載の考案によれば、前記調理台本体は、前記収納部が引き出しとして形成され、前記吊戸棚の前記収納部は、開閉扉を有するので、引き出しを開くことにより調理台本体の前記収納部内に収納された物品と、開閉扉を開くことにより吊戸棚内に収納される物品との確認と出し入れが容易に行える。
【００１４】
さらに、本考案の請求項４に記載の考案によれば、前記調理カウンタ部の下部には、収納部との間にリルカウンタ・テーブルが出し入れ可能に収容されているので、調理材料の洗浄や切断をする場合に、調理材料の置き場所として調理台部のほか、リルカウンタ・テーブルに置くようにすれば、便利である。
【考案を実施するための最良の形態】
【００１５】
以下図面に従い、本考案を実施するための最良の形態につき詳細を説明する。
【００１６】
図１は本考案の調理台ユニットの実施形態を示す正面図、図２は同じく本実施形態を構成する調理台本体を示す平面図、図３は同じく右側面図、図４は同じく本実施形態を構成する調理台本体と、吊戸棚との収納部を開けた状態の斜視図である。
【００１７】
本実施形態は、図１，および図２に示すように、平面矩形の天板２上に、シンク３、および、複数のコンロ４Ａ,４Ｂを有するコンロ台４、調理カウンタ部５、が設けられ、かつ前記天板２の下部には物品Ａの収納部Ｓ１が設けられた調理台本体１と、前記調理台本体１の上方背面に通気スペース６を介して設けられた吊戸棚７と、を備えた調理台ユニットの点おいては特許文献１に記載の流し台と同様構造である。
【００１８】
しかしながら、本実施形態では、前記調理台本体１は、間口長さＬ１が正面略中央線Ｍ付近の略定位置Ｔ、または該定位置Ｔに近い場所に立って立作業を行う際に、通常の成人女性が両手を広げた場合に、手が届く範囲よりも僅かに長い長さ、例えば１０〜１５ｃｍほど長い長さに形成され、且つ奥行き寸法Ｌ２が前記定位置Ｔ等おける立作業において前記天板２の前面より手が届く範囲に長く、例えば前記通気スペース６の軸長方向Ｘに沿って例えば特許文献１に記載の従来の流し台よりも１０ｃｍほど長く形成され、また、前記吊戸棚７は、図１、および図３に示すように、アイレベルＩより数十ｃｍの長さｌほど、下方に長く形成されている。
【００１９】
前記調理台本体１は、具体的には間口長さＬ１が、約１６５０ｍｍ〜約２３００ｍｍ、奥行き寸法Ｌ２が約７５０ｍｍに形成され、前記吊戸棚７は、間口長さＬ′１が、約１１５０ｍｍ、奥行き寸法Ｌ３が約３６０ｍｍに形成され、アイレベルＩより２０ｃｍほど、下方に長い長さｌに形成されている。
【００２０】
また、前記調理台本体１は、前記収納部Ｓ１が出し入れ可能な引き出しとして形成され、また、前記吊戸棚７の前記収納部Ｓ２は、開閉扉が開閉可能に設けられている。なお、引き出しは、その収容空間部の内側の左右に設けられた案内レール（図には示さない）により、スムーズに案内移動されるようになっている。また、物品Ａは、例えば鍋、フライパン、水差し、トレイ、ボール、皿、椀、カップ等のキッチン用品等がある。
【００２１】
さらに、前記調理カウンタ部５の下部には、収納部Ｓ１との間に、板状のリルカウンタ・テーブル８が出し入れ可能に収容されている（図１参照）。
【００２２】
本実施形態の調理台ユニットは以上の構成からなり、前記調理台本体１は、間口長さＬ１が正面略中央線Ｍ付近の略定位置Ｔ、または前記定位置Ｔに近い場所に立って立作業を行う際に、通常の成人女性が両手を広げて手が届く範囲よりも僅かに長い長さに形成され、且つ奥行き寸法Ｌ２が前記定位置Ｔにおける立作業において通常の成人女性が天板２の前面より手が届く範囲に長く、前記通気スペース６の軸長方向Ｘに沿って例えば特許文献１に記載の従来の流し台よりも奥に１０ｃｍほど長く形成されている。すなわち、具体的には、図示する本実施形態での調理台本体１は、間口長さＬ１が、約１６５０ｍｍ〜約２３００ｍｍ、奥行き寸法Ｌ２が約７５０ｍｍに形成されているので、シンク３、調理カウンタ部５、コンロ台４等を単一の天板２に設け、天板２の下面には引き出し形式の物品Ａの収納部Ｓ１と、天板２の上面には吊戸棚７を設けるという特許文献１に記載の従来の調理台ユニットと同様姿態を維持しながら、間口長さが形成される同様姿態の特許文献１に記載の従来の調理台ユニットに比べて短くなりコンパクトに小型化がはかれる。従って、小面積の住居スペースを対象とする住居、例えば建築物がマンションである場合を例とすれば、１ＤＫや１ＬＤＫ等の姿態の居住スペースの厨房に容易かつ確実に収容できる。
【００２３】
そして、使用者が通常の成人女性である場合に、使用者は調理台本体１に対して略定位置Ｔ、または定位置Ｔから近い場所にて、シンク３において調理材料の洗浄が行え、また調理カウンタ部５において洗った調理材料を所望の形状、寸法に切断することができ、さらには、複数のコンロ４Ａ、４Ｂを有するコンロ台４において調理を行うことができ、特許文献１に記載の従来の流し台のように余計に動き回ることなく料理が行える。
【００２４】
この際、調理台本体１の奥行き寸法Ｌ２が、通常の体格の成人女性が前記定位置Ｔ、またはその定位置Ｔに近い場所において料理を行うのに立作業する場合に、天板２の前面より手が届く範囲に長く、例えば前記通気スペース６の長手方向Ｘに沿って例えば特許文献１に記載の従来の流し台よりも１０ｃｍほど長く形成されて平面空間も広く形成されているので、広くなった奥行き寸法Ｌ２のうち、コンロ台４回りには、例えば醤油、ソース、塩、胡椒、唐辛子、砂糖等の調味料を容れた包装容器を陳列して置くことができるため、邪魔にならず、使用者は料理中に手を伸ばして必要な調味料を手に採ることができ、料理が作業効率良く行え、使い勝手が良い。
【００２５】
また、前記吊戸棚７は、図１，図３に示すように、アイレベルＩより数十ｃｍの長さｌ、具体的には間口長さＬ′１が、約１１５０ｍｍ、奥行き寸法Ｌ３が約３６０ｍｍに形成され、アイレベルＩより２０ｃｍほど、下方に長く形成されているので、例えば特許文献１に記載の従来の流し装置のように、流し台の間口長さが長く、流し装置の奥行寸法は６５０ｍｍ程度である大型の流し台ではと比べ本実施形態の調理台ユニットでは小型化されてコンパクトでありながら、調理台本体１の収納部Ｓ１として形成された引き出しと、吊戸棚７の収納部Ｓ２として形成された開閉扉を開閉することにより大容量の物品Ａの収納が行える。
【００２６】
また、吊戸棚７は、図１，図３に示すように、アイレベルＩより数十ｃｍほど、具体的にはアイレベルＩより２０ｃｍほど、下方に長い長さｌにて形成されているので、開閉扉を開閉することにより吊戸棚７に収納される物品Ａを奥に収納したものまでも確実に確認が行え、物品Ａの出し入れが容易かつ確実に行える。また、調理台本体１は、前述のように収納部Ｓ１が引き出しとして形成されているので、引き出しをその収容空間部の内側の左右に設けられたレール材（図示せず）の案内によりスムーズに引き出すことにより、引き出しが完全に引き抜かれないで収容空間部内に保持された状態で上方から引き出し内に収納されている物品Ａを一目で確認し、取り出すことができる。
【００２７】
さらに、前記調理カウンタ部５の下部には、収納部Ｓ１との間に板状のリルカウンタ・テーブル８が出し入れ可能に収容されているので、調理材料の洗浄、切断を行う場合に、調理材料の置き場所としてリルカウンタ・テーブル８を引き出して面積を広げることにより調理カウンタ部５のほか、リルカウンタ・テーブル８に置くことができ、便利である。
【産業上の利用可能性】
【００２８】
本考案は、コンパクトに小型化がはかれ、小面積の住居スペースを対象とする住居における厨房に容易かつ確実に収容が行え、使用者は調理台本体に対して略定位置、または該定位置から近い場所に立って余計に動き回ることなく、手順が良く、作業効率良く行え、また、使い勝手が良く、また、吊戸棚に収納される物品の確認と出し入れが容易であり、さらには、同様姿態の大型の調理台ユニットに比べてコンパクトでありながら、大容量の物品を収納するという用途・機能に適する。
【図面の簡単な説明】
【００２９】
【図１】図１は本考案の調理台ユニットの実施形態を示す正面図である。
【図２】図２は同じく本実施形態を構成する調理台本体を示す平面図である。
【図３】図３は同じく右側面図である。
【図４】図４は同じく本実施形態を構成する調理台本体と、吊戸棚との収納部を開けた状態の斜視図である。
【符号の説明】
【００３０】
１      調理台本体
２      天板
３      シンク
４      コンロ台
５      調理カウンタ部
６      通気スペース
７      吊戸棚
８      リルカウンタ・テーブル
Ａ      物品
Ｉ      アイレベル
Ｌ１    間口長さ
Ｌ２    奥行き寸法
Ｌ３    奥行き寸法
【図１】
0003145753.tif 000003
【図２】
0003145753.tif 000004
【図３】
0003145753.tif 000005
【図４】
0003145753.tif 000006
【手続補正書】
【提出日】平成20年8月18日(2008.8.18)
【手続補正１】
【補正対象書類名】実用新案登録請求の範囲
【補正対象項目名】全文
【補正方法】変更
【補正の内容】
【実用新案登録請求の範囲】
【請求項１】
平面矩形の天板上に、シンク、および、複数のコンロを有するコンロ台、調理カウンタ部が設けられ、かつ前記天板の下部には物品の収納部が設けられた調理台本体と、前記調理台本体の上方背面に通気スペースを介して設けられた吊戸棚と、を備えた調理台ユニットにおいて、
前記調理台本体は、間口長さが、約１６５０ｍｍ〜約２３００ｍｍに形成され、且つ奥行き寸法が、約７５０ｍｍに形成されて正面略中央線付近の略定位置、または該定位置に近い場所に立って立作業を可能となし、
前記吊戸棚は、アイレベルより数十ｃｍほど、下方に長く形成されている、
ことを特徴とする調理台ユニット。
【請求項２】
前記吊戸棚は、奥行き寸法が約３６０ｍｍに形成され、かつアイレベルより２０ｃｍほど、下方に長く形成されている、ことを特徴とする請求項１に記載の調理台ユニット。
【請求項３】
前記調理台本体は、前記収納部が引き出しとして形成され、前記吊戸棚の前記収納部は、開閉扉を有することを特徴とする、請求項１または２に記載の調理台ユニット。
【請求項４】
前記調理カウンタ部の下部には、収納部との間にリルカウンタ・テーブルが出し入れ可能に収容されていることを特徴とする請求項１〜３の何れかに記載の調理台ユニット。
【手続補正２】
【補正対象書類名】明細書
【補正対象項目名】０００６
【補正方法】変更
【補正の内容】
【０００６】
本考案の請求項１に記載の考案は、平面矩形の天板上に、シンク、および、複数のコンロを有するコンロ台、調理カウンタ部が設けられ、かつ前記天板の下部には物品の収納部が設けられた調理台本体と、前記調理台本体の上方背面に通気スペースを介して設けられた吊戸棚と、を備えた調理台ユニットにおいて、
前記調理台本体は、間口長さが、約１６５０ｍｍ〜約２３００ｍｍに形成され、且つ奥行き寸法が、約７５０ｍｍに形成されて正面略中央線付近の略定位置、または該定位置に近い場所に立って立作業を可能となし、
前記吊戸棚は、アイレベルより数十ｃｍほど、下方に長く形成されている、
ことを特徴とする。
【手続補正３】
【補正対象書類名】明細書
【補正対象項目名】０００７
【補正方法】変更
【補正の内容】
【０００７】
また、本考案の請求項２に記載の考案は、請求項１において、前記吊戸棚は、奥行き寸法が約３６０ｍｍに形成され、かつアイレベルより２０ｃｍほど、下方に長く形成されている、ことを特徴とする。
【手続補正４】
【補正対象書類名】明細書
【補正対象項目名】００１０
【補正方法】変更
【補正の内容】
【００１０】
本考案の請求項１に記載の考案によれば、平面矩形の天板上に、シンク、および、複数のコンロを有するコンロ台、調理カウンタ部が設けられ、かつ前記天板の下部には物品の収納部が設けられた調理台本体と、前記調理台本体の上方背面に通気スペースを介して設けられた吊戸棚と、を備えた調理台ユニットにおいて、前記調理台本体は、間口長さが、約１６５０ｍｍ〜約２３００ｍｍに形成され、且つ奥行き寸法が、約７５０ｍｍに形成されて正面略中央線付近の略定位置、または該定位置に近い場所に立って立作業を可能となし、  前記吊戸棚は、アイレベルより数十ｃｍほど、下方に長く形成されているので、シンク、調理カウンタ部、コンロ台等を単一の天板に設け、天板の下面には引き出し形式の物品の収納部と、天板の上面には吊戸棚を設け、間口長さが約２．４ｍ〜３ｍに近い特許文献１に記載の従来の大型の流し装置と同様姿態を維持しながらコンパクトに小型化がはかれ、小面積の住居スペースを対象とする住居における厨房に容易かつ確実に収容が行える。そして、使用者は調理台本体に対して正面略中央軸線付近の略定位置、または該定位置から近い場所に立って調理材料の洗浄や切断をしたり、また料理を行う場合に、余計に動き回ることなく、手順が良く、しかも作業効率良く行える。また、使い勝手が良く、また、吊戸棚に収納される物品の確認と出し入れが容易であり、さらには、同様姿態の大型の調理台ユニットに比べてコンパクトでありながら、大容量の物品の収納が行える。
【手続補正５】
【補正対象書類名】明細書
【補正対象項目名】００１１
【補正方法】変更
【補正の内容】
【００１１】
また、本考案の請求項２に記載の考案によれば、前記吊戸棚は、奥行き寸法が約３６０ｍｍに形成され、かつアイレベルより２０ｃｍほど、下方に長く形成されているので、特許文献１に記載の従来の大型の流し装置と同様姿態を維持しながら調理台本体は小型化されてコンパクトになる。また、使用者は調理台本体に対して正面略中央軸線付近の略定位置、または該定位置に近い場所に立って調理材料の洗浄、切断、料理を行う場合に、余計に動き回ることなく行え、手順が良く作業が行える。しかも、広くなった奥行き寸法のうち、コンロ台回りには、調味料等を容れた包装容器を置くことができるので、使用者は料理中に必要な調味料を手に採ることができ、料理が作業効率良く行え、使い勝手が良い。
【手続補正６】
【補正対象書類名】明細書
【補正対象項目名】００１８
【補正方法】変更
【補正の内容】
【００１８】
しかしながら、本実施形態では、前記調理台本体１は、間口長さＬ１が、約１６５０ｍｍ〜約２３００ｍｍに形成されて正面略中央線付近Ｍの略定位置Ｔ、または該定位置Ｔに近い場所に立って立作業が行えるように形成され、且つ奥行き寸法Ｌ２が、約７５０ｍｍに前記定位置Ｔ、または該定位置Ｔに近い場所における立作業が行えるように形成され、前記吊戸棚は、アイレベルＩより数十ｃｍの長さｌほど、下方に長く形成されている。すなわち、本実施形態では、間口長さＬ１が、約１６５０ｍｍ〜約２３００ｍｍに形成されたのは、通常の成人女性が、正面略中央線Ｍ付近の略定位置Ｔ、または該定位置Ｔに近い場所に立って立作業を行う際に、両手を広げた場合に、手が届く範囲よりも僅かに長い長さ、例えば１０〜１５ｃｍほど長い長さに形成され、且つ奥行き寸法Ｌ２が前記定位置Ｔ等おける立作業において前記天板２の前面より手が届く範囲に長く、例えば前記通気スペース６の軸長方向Ｘに沿って例えば特許文献１に記載の従来の流し台よりも１０ｃｍほど長く形成されている。
【手続補正７】
【補正対象書類名】明細書
【補正対象項目名】００１９
【補正方法】変更
【補正の内容】
【００１９】
そして、前記吊戸棚７は、間口長さＬ′１が、約１１５０ｍｍ、奥行き寸法Ｌ３が約３６０ｍｍに形成され、アイレベルＩより２０ｃｍほど、下方に長い長さｌに形成されている。
【手続補正８】
【補正対象書類名】明細書
【補正対象項目名】００２２
【補正方法】変更
【補正の内容】
【００２２】
本実施形態の調理台ユニットは以上の構成からなり、図示する本実施形態での調理台本体１は、間口長さＬ１が、約１６５０ｍｍ〜約２３００ｍｍ、奥行き寸法Ｌ２が約７５０ｍｍに形成されているので、シンク３、調理カウンタ部５、コンロ台４等を単一の天板２に設け、天板２の下面には引き出し形式の物品Ａの収納部Ｓ１と、天板２の上面には吊戸棚７を設けるという特許文献１に記載の従来の調理台ユニットと同様姿態を維持しながら、間口長さが形成される同様姿態の特許文献１に記載の従来の調理台ユニットに比べて短くなりコンパクトに小型化がはかれる。従って、小面積の住居スペースを対象とする住居、例えば建築物がマンションである場合を例とすれば、１ＤＫや１ＬＤＫ等の姿態の居住スペースの厨房に容易かつ確実に収容できる。
【手続補正９】
【補正対象書類名】明細書
【補正対象項目名】００２５
【補正方法】変更
【補正の内容】
【００２５】
また、前記吊戸棚７は、図１，図３に示すように、アイレベルＩより数十ｃｍの長さｌ、具体的には間口長さＬ′１が、約１１５０ｍｍ、奥行き寸法Ｌ３が約３６０ｍｍに形成され、アイレベルＩより２０ｃｍほど、下方に長く形成されているので、例えば特許文献１に記載の従来の流し装置のように、流し台の間口長さが約２．４ｍ〜３ｍに近くて長く、流し装置の奥行寸法は６５０ｍｍ程度である大型の流し台と比べ本実施形態の調理台ユニットでは小型化されてコンパクトでありながら、調理台本体１の収納部Ｓ１として形成された引き出しと、吊戸棚７の収納部Ｓ２として形成された開閉扉を開閉することにより大容量の物品Ａの収納が行える。